(57)【特許請求の範囲】
【請求項１】
撮像光学レンズであって
物体側から像側に向かって、順に、正の屈折力を有する第１レンズ、負の屈折力を有する第２レンズ、正の屈折力を有する第３レンズ、負の屈折力を有する第４レンズ、正の屈折力を有する第５レンズ及び負の屈折力を有する第６レンズから構成され、前記撮像光学レンズの焦点距離をｆ、前記第２レンズの焦点距離をｆ２、前記第１レンズの軸上厚みをｄ１、前記第１レンズの像側の面から前記第２レンズの物体側の面までの軸上距離をｄ２、前記第３レンズの像側の面の曲率半径をＲ６、前記第５レンズの物体側の面の曲率半径をＲ９、前記第５レンズの像側の面の曲率半径をＲ１０にしたときに、以下の関係式を満たすことを特徴とする撮像光学レンズ。
−３．５０≦ｆ２／ｆ≦−１．５０
６．５０≦ｄ１／ｄ２≦１３．５０
−０．２０≦（Ｒ９＋Ｒ１０）／（Ｒ９−Ｒ１０）≦−０．０５
３．００≦Ｒ６／ｆ≦１０．００
【請求項２】
前記第６レンズの焦点距離をｆ６にしたときに、以下の関係式を満たすことを特徴とする請求項１に記載の撮像光学レンズ。
−０．７０≦ｆ６／ｆ≦−０．５５
【請求項３】
前記第１レンズの物体側の面の曲率半径をＲ１、前記第１レンズの像側の面の曲率半径をＲ２にしたときに、以下の関係式を満たすことを特徴とする請求項１に記載の撮像光学レンズ。
２．５０≦Ｒ２／Ｒ１≦４．５０
【請求項４】
前記第１レンズの焦点距離をｆ１、前記撮像光学レンズの光学全長をＴＴＬ、前記第１レンズの物体側の面の曲率半径をＲ１、前記第１レンズの像側の面の曲率半径をＲ２にしたときに、以下の関係式を満たすことを特徴とする請求項１に記載の撮像光学レンズ。
０．０７≦ｄ１／ＴＴＬ≦０．２３
−４．６７≦（Ｒ１＋Ｒ２）／（Ｒ１−Ｒ２）≦−１．０５
０．３８≦ｆ１／ｆ≦１．４１
【請求項５】
前記第２レンズの軸上厚みをｄ３、前記撮像光学レンズの光学全長をＴＴＬ、前記第２レンズの物体側の面の曲率半径をＲ３、前記第２レンズの像側の面の曲率半径をＲ４にしたときに、以下の関係式を満たすことを特徴とする請求項１に記載の撮像光学レンズ。
０．０２≦ｄ３／ＴＴＬ≦０．０９
０．７６≦（Ｒ３＋Ｒ４）／（Ｒ３−Ｒ４）≦７．３３
【請求項６】
前記第３レンズの焦点距離をｆ３、前記第３レンズの軸上厚みをｄ５、前記撮像光学レンズの光学全長をＴＴＬ、前記第３レンズの物体側の面の曲率半径をＲ５にしたときに、以下の関係式を満たすことを特徴とする請求項１に記載の撮像光学レンズ。
０．０３≦ｄ５／ＴＴＬ≦０．１１
−１５．６５≦（Ｒ５＋Ｒ６）／（Ｒ５−Ｒ６）≦−１．０４
２．３９≦ｆ３／ｆ≦２５．１８
【請求項７】
前記第４レンズの焦点距離をｆ４、前記第４レンズの軸上厚みをｄ７、前記撮像光学レンズの光学全長をＴＴＬ、前記第４レンズの物体側の面の曲率半径をＲ７、前記第４レンズの像側の面の曲率半径をＲ８にしたときに、以下の関係式を満たすことを特徴とする請求項１に記載の撮像光学レンズ。
０．０３≦ｄ７／ＴＴＬ≦０．０８
１．６１≦（Ｒ７＋Ｒ８）／（Ｒ７−Ｒ８）≦２２．３３
−７４．０５≦ｆ４／ｆ≦−６．５０
【請求項８】
前記第５レンズの焦点距離をｆ５、前記第５レンズの軸上厚みをｄ９、前記撮像光学レンズの光学全長をＴＴＬにしたときに、以下の関係式を満たすことを特徴とする請求項１に記載の撮像光学レンズ。
０．０５≦ｄ９／ＴＴＬ≦０．１６
０．４５≦ｆ５／ｆ≦１．６７
【請求項９】
前記第６レンズの軸上厚みをｄ１１、前記撮像光学レンズの光学全長をＴＴＬ、前記第６レンズの物体側の面の曲率半径をＲ１１、前記第６レンズの像側の面の曲率半径をＲ１２にしたときに、以下の関係式を満たすことを特徴とする請求項１に記載の撮像光学レンズ。
０．０４≦ｄ１１／ＴＴＬ≦０．１２
０．１１≦（Ｒ１１＋Ｒ１２）／（Ｒ１１−Ｒ１２）≦０．６４
【請求項１０】
前記撮像光学レンズの絞りＦ値をＦＮＯにしたときに、以下の関係式を満たすことを特徴とする請求項１に記載の撮像光学レンズ。
ＦＮＯ≦１．９０
【発明の詳細な説明】
【技術分野】
【０００１】
本発明は、光学レンズの分野に関し、特に、スマートフォン、デジタルカメラ等の携帯端末装置、並びにモニター、ＰＣレンズ等の撮像装置に適用される撮像光学レンズに関する。
【背景技術】
【０００２】
スマートフォンの迅速な発展、普及に伴い、撮像レンズの研究開発、設計も飛躍的な発展を遂げ、さらに、現在の電子製品は、優れた機能及び軽量化・薄型化・小型化の外観への要求が高まっているので、良好な結像品質を有する小型化の撮像レンズは、現在の市場において既に主流となっている。
【０００３】
優れた結像品質を得るために、携帯電話のカメラに搭載される従来の微型レンズは、３枚式、４枚式、さらに５枚式、６枚式のレンズ構造を用いることが多い。これらのレンズは既に良好な光学性能を持っているが、その焦点距離の設定等は依然としてある程度の不合理的なところがあるため、レンズの構造は良好な光学性能を有するものの、大絞り、極薄化及び広角化の設計要件を満たすことができない。
【発明の概要】
【発明が解決しようとする課題】
【０００４】
本発明は、上記問題点に鑑みてなされたものであり、良好な光学性能を有すると共に、大絞り、極薄化及び広角化の設計要件を満たすことができる撮像光学レンズを提供することを目的とする。
【課題を解決するための手段】
【０００５】
本発明の技術考案は下記の通りである。
【０００６】
撮像光学レンズであって、前記撮像光学レンズは、物体側から像側に向かって、順に、正の屈折力を有する第１レンズ、負の屈折力を有する第２レンズ、屈折力を有する第３レンズ、屈折力を有する第４レンズ、正の屈折力を有する第５レンズ及び負の屈折力を有する第６レンズを備え、前記撮像光学レンズの焦点距離をｆ、前記第２レンズの焦点距離をｆ２、前記第１レンズの軸上厚みをｄ１、第１レンズの像側の面から第２レンズの物体側の面までの軸上距離をｄ２、前記第３レンズの像側の面の曲率半径をＲ６、前記第５レンズの物体側の面の曲率半径をＲ９、前記第５レンズの像側の面の曲率半径をＲ１０にしたときに、以下の関係式を満たす。
−３．５０≦ｆ２／ｆ≦−１．５０
６．５０≦ｄ１／ｄ２≦１３．５０
−０．２０≦（Ｒ９＋Ｒ１０）／（Ｒ９−Ｒ１０）≦−０．０５
３．００≦Ｒ６／ｆ≦１０．００
【０００７】
さらに、前記第６レンズの焦点距離をｆ６にしたときに、以下の関係式を満たす。
−０．７０≦ｆ６／ｆ≦−０．５５
【０００８】
さらに、前記第１レンズの物体側の面の曲率半径をＲ１、前記第１レンズの像側の面の曲率半径をＲ２にしたときに、以下の関係式を満たす。
２．５０≦Ｒ２／Ｒ１≦４．５０
【０００９】
さらに、前記第１レンズの焦点距離をｆ１、前記撮像光学レンズの光学全長をＴＴＬ、前記第１レンズの物体側の面の曲率半径をＲ１、前記第１レンズの像側の面の曲率半径をＲ２にしたときに、以下の関係式を満たす。
０．０７≦ｄ１／ＴＴＬ≦０．２３
−４．６７≦（Ｒ１＋Ｒ２）／（Ｒ１−Ｒ２）≦−１．０５
０．３８≦ｆ１／ｆ≦１．４１
【００１０】
さらに、前記第２レンズの軸上厚みをｄ３、前記撮像光学レンズの光学全長をＴＴＬ、前記第２レンズの物体側の面の曲率半径をＲ３、前記第２レンズの像側の面の曲率半径をＲ４にしたときに、以下の関係式を満たす。
０．０２≦ｄ３／ＴＴＬ≦０．０９
０．７６≦（Ｒ３＋Ｒ４）／（Ｒ３−Ｒ４）≦７．３３
【００１１】
さらに、前記第３レンズの焦点距離をｆ３、前記第３レンズの軸上厚みをｄ５、前記撮像光学レンズの光学全長をＴＴＬ、前記第３レンズの物体側の面の曲率半径をＲ５にしたときに、以下の関係式を満たす。
０．０３≦ｄ５／ＴＴＬ≦０．１１
−１５．６５≦（Ｒ５＋Ｒ６）／（Ｒ５−Ｒ６）≦−１．０４
２．３９≦ｆ３／ｆ≦２５．１８
【００１２】
さらに、前記第４レンズの焦点距離をｆ４、前記第４レンズの軸上厚みをｄ７、前記撮像光学レンズの光学全長をＴＴＬ、前記第４レンズの物体側の面の曲率半径をＲ７、前記第４レンズの像側の面の曲率半径をＲ８にしたときに、以下の関係式を満たす。
０．０３≦ｄ７／ＴＴＬ≦０．０８
１．６１≦（Ｒ７＋Ｒ８）／（Ｒ７−Ｒ８）≦２２．３３
−７４．０５≦ｆ４／ｆ≦−６．５０
【００１３】
さらに、前記第５レンズの焦点距離をｆ５、前記第５レンズの軸上厚みをｄ９、前記撮像光学レンズの光学全長をＴＴＬにしたときに、以下の関係式を満たす。
０．０５≦ｄ９／ＴＴＬ≦０．１６
０．４５≦ｆ５／ｆ≦１．６７
【００１４】
さらに、前記第６レンズの軸上厚みをｄ１１、前記撮像光学レンズの光学全長をＴＴＬ、前記第６レンズの物体側の面の曲率半径をＲ１１、前記第６レンズの像側の面の曲率半径をＲ１２にしたときに、以下の関係式を満たす。
０．０４≦ｄ１１／ＴＴＬ≦０．１２
０．１１≦（Ｒ１１＋Ｒ１２）／（Ｒ１１−Ｒ１２）≦０．６４
【００１５】
さらに、前記撮像光学レンズの絞りＦ値をＦＮＯにしたときに、以下の関係式を満たす。
ＦＮＯ≦１．９０
【発明の効果】
【００１６】
本発明の有益な効果は下記の通りである。
【００１７】
上記のレンズの配置形態によれば、本発明に係る撮像光学レンズは、優れた光学特性を有し、且つ大絞り、広角化及び極薄化の特性を有し、特に高画素用のＣＣＤ、ＣＭＯＳ等の撮像素子から構成される携帯電話の撮像レンズ部品とＷＥＢ撮像レンズに適用することができる。
【図面の簡単な説明】
【００１８】
【図１】図１は、本発明の第１実施形態に係る撮像光学レンズの構造を示す図である。
【図２】図２は、図１に示す撮像光学レンズの球面収差を示す図である。
【図３】図３は、図１に示す撮像光学レンズの倍率色収差を示す図である。
【図４】図４は、図１に示す撮像光学レンズの像面湾曲及び歪曲収差を示す図である。
【図５】図５は、本発明の第２実施形態に係る撮像光学レンズの構造を示す図である。
【図６】図６は、図５に示す撮像光学レンズの球面収差を示す図である。
【図７】図７は、図５に示す撮像光学レンズの倍率色収差を示す図である。
【図８】図８は、図５に示す撮像光学レンズの像面湾曲及び歪曲収差を示す図である。
【図９】図９は、本発明の第３実施形態に係る撮像光学レンズの構造を示す図である。
【図１０】図１０は、図９に示す撮像光学レンズの球面収差を示す図である。
【図１１】図１１は、図９に示す撮像光学レンズの倍率色収差を示す図である。
【図１２】図１２は、図９に示す撮像光学レンズの像面湾曲及び歪曲収差を示す図である。
【図１３】図１３は、本発明の第４実施形態に係る撮像光学レンズの構造を示す図である。
【図１４】図１４は、図１３に示す撮像光学レンズの球面収差を示す図である。
【図１５】図１５は、図１３に示す撮像光学レンズの倍率色収差を示す図である。
【図１６】図１６は、図１３に示す撮像光学レンズの像面湾曲及び歪曲収差を示す図である。
【図１７】図１７は、本発明の第５実施形態に係る撮像光学レンズの構造を示す図である。
【図１８】図１８は、図１７に示す撮像光学レンズの球面収差を示す図である。
【図１９】図１９は、図１７に示す撮像光学レンズの倍率色収差を示す図である。
【図２０】図２０は、図１７に示す撮像光学レンズの像面湾曲及び歪曲収差を示す図である。
【発明を実施するための形態】
【００１９】
本発明の目的、技術考案及び利点をより明確にするために、以下に、図面を参照しながら本発明の各実施形態を詳しく説明する。ただし、本発明の各実施形態において、本発明に対する理解を便宜にするために、多くの技術的細部まで記載されているが、これらの技術的細部及び以下の各実施形態に基づく種々の変更及び修正がなくても、本発明が保護しようとする技術考案を実現可能であることは、当業者にとっては自明なことである。
【００２０】
第１実施形態
図１には、本発明の第１実施形態の撮像光学レンズ１０を示しており、当該撮像光学レンズ１０は、６枚のレンズを備える。具体的には、前記撮像光学レンズ１０は、物体側から像側に向かって、順に、絞りＳ１、第１レンズＬ１、第２レンズＬ２、第３レンズＬ３、第４レンズＬ４、第５レンズＬ５及び第６レンズＬ６を備える。本実施形態において、第６レンズＬ６と像面Ｓｉとの間には、光学フィルターＧＦ等の光学素子が設けられており、そのうち、光学フィルターＧＦはガラスカバーであってもよいし、光学フィルターであってもよい。勿論、他の実施形態において、光学フィルターＧＦは他の位置に配置されてもよい。
【００２１】
本実施形態では、第１レンズＬ１は正の屈折力を有し、その物体側の面は凸面であり、その像側の面は凹面であり、第２レンズＬ２は負の屈折力を有し、その物体側の面は凸面であり、その像側の面は凹面であり、第３レンズＬ３は正の屈折力を有し、その物体側の面は凸面であり、その像側の面は凹面であり、第４レンズＬ４は負の屈折力を有し、その物体側の面は凸面であり、その像側の面は凹面であり、第５レンズＬ５は正の屈折力を有し、その物体側の面は凸面であり、その像側の面は凸面であり、第６レンズＬ６は負の屈折力を有し、その物体側の面は凹面であり、その像側の面は凹面である。
【００２２】
ここで、前記撮像光学レンズ１０の焦点距離をｆ（焦点距離の単位はミリメートル（ｍｍ）である）、前記第２レンズＬ２の焦点距離をｆ２、前記第１レンズＬ１の軸上厚みをｄ１、第１レンズＬ１の像側の面から第２レンズＬ２の物体側の面までの軸上距離をｄ２、前記第３レンズＬ３の像側の面の曲率半径をＲ６、前記第５レンズＬ５の物体側の面の曲率半径をＲ９、前記第５レンズＬ５の像側の面の曲率半径をＲ１０にしたときに、以下の関係式を満たす。
−３．５０≦ｆ２／ｆ≦−１．５０                                       （１）
６．５０≦ｄ１／ｄ２≦１３．５０                                       （２）
−０．２０≦（Ｒ９＋Ｒ１０）／（Ｒ９−Ｒ１０）≦−０．０５             （３）
３．００≦Ｒ６／ｆ≦１０．００                                         （４）
【００２３】
そのうち、関係式（１）には、第２レンズＬ２の焦点距離と撮像光学レンズ１０の全体の焦点距離との比が規定される。この関係式の範囲内にあると、システムの球面収差及び像面湾曲量を効果的に均衡させることができる。
【００２４】
関係式（２）には、第１レンズＬ１の厚みと、第１レンズＬ１と第２レンズＬ２の間の空気の間隔との比が規定される。この関係式の範囲内にあると、光学系の全長の短縮、極薄化の効果の実現に役立つ。
【００２５】
関係式（３）には、第５レンズＬ５の形状が規定される。この関係式の範囲外にあると、極薄化・広角化が進むに従って、軸外画角の収差等の問題の補正が困難になってしまう。
【００２６】
関係式（４）には、第３レンズＬ３の像側の面の曲率半径と撮像光学レンズ１０の全体の焦点距離との比が規定される。この関係式の範囲内にあると、光学系の性能の向上に役立つ。
【００２７】
本実施形態において、上記のレンズの配置形態によれば、異なる屈折力を有する各レンズ（Ｌ１、Ｌ２、Ｌ３、Ｌ４、Ｌ５、Ｌ６）を利用して、第２レンズＬ２の焦点距離と撮像光学レンズ１０の全体の焦点距離との比、第１レンズＬ１の厚みと、第１レンズＬ１と第２レンズＬ２の間の空気の間隔との比、第５レンズＬ５の形状、及び第３レンズＬ３の像側の面の曲率半径と撮像光学レンズ１０の全体の焦点距離との比を設定することで、光学系の性能の向上に役立ち、大絞り、極薄化及び広角化の設計要件を満たすことができる。
【００２８】
好ましくは、前記第６レンズＬ６の焦点距離をｆ６にしたときに、以下の関係式を満たす。
−０．７０≦ｆ６／ｆ≦−０．５５                                        （５）
【００２９】
関係式（５）には、第６レンズＬ２の焦点距離と撮像光学レンズ１０の全体の焦点距離との比が規定される。このような設定では、屈折力を合理的に配分することで、システムとして、優れた結像品質及び低い感度を有する。
【００３０】
好ましくは、前記第１レンズＬ１の物体側の面の曲率半径をＲ１、前記第１レンズＬ１の像側の面の曲率半径をＲ２にしたときに、以下の関係式を満たす。
２．５０≦Ｒ２／Ｒ１≦４．５０                                          （６）
【００３１】
関係式（６）には、第１レンズＬ１の形状が規定される。上記の関係式に規定された範囲内にあると、レンズを通過する光線のずれの程度を緩和することができ、収差を有効的に減少させることができる。
【００３２】
好ましくは、前記第１レンズＬ１の焦点距離をｆ１、前記撮像光学レンズ１０の光学全長をＴＴＬ、前記第１レンズＬ１の物体側の面の曲率半径をＲ１、前記第１レンズＬ１の像側の面の曲率半径をＲ２にしたときに、以下の関係式を満たす。
０．０７≦ｄ１／ＴＴＬ≦０．２３                                       （７）
−４．６７≦（Ｒ１＋Ｒ２）／（Ｒ１−Ｒ２）≦−１．０５                 （８）
０．３８≦ｆ１／ｆ≦１．４１                                           （９）
【００３３】
関係式（７）には、前記第１レンズＬ１の軸上厚みと撮像光学レンズ１０の光学全長との比が規定される。これにより、極薄化の実現に有利である。
【００３４】
関係式（８）には、第１レンズＬ１の形状が規定される。この関係式の範囲内にあると、第１レンズＬ１としては、システムの球面収差を効果的に補正することができる。
【００３５】
関係式（９）には、第１レンズＬ１が適当な正の屈折力を有することが限定される。規定された範囲内にあると、システムの収差の減少に有利であると共に、レンズの極薄化、広角化が進むことにも有利である。
【００３６】
好ましくは、前記第２レンズＬ２の軸上厚みをｄ３、前記撮像光学レンズ１０の光学全長をＴＴＬ、前記第２レンズＬ２の物体側の面の曲率半径をＲ３、前記第２レンズＬ２の像側の面の曲率半径をＲ４にしたときに、以下の関係式を満たす。
０．０２≦ｄ３／ＴＴＬ≦０．０９                                      （１０）
０．７６≦（Ｒ３＋Ｒ４）／（Ｒ３−Ｒ４）≦７．３３                   （１１）
【００３７】
関係式（１０）には、前記第２レンズＬ２の軸上厚みと撮像光学レンズ１０の光学全長との比が規定される。これにより、極薄化の実現に有利である。
【００３８】
関係式（１１）には、第２レンズＬ２の形状が規定される。この関係式の範囲内にあると、レンズの極薄化・広角化が進むに従って、軸上の色収差の問題の補正に有利である。
【００３９】
好ましくは、前記第３レンズの焦点距離をｆ３、前記第３レンズＬ３の軸上厚みをｄ５、前記撮像光学レンズ１０の光学全長をＴＴＬ、前記第３レンズＬ３の物体側の面の曲率半径をＲ５にしたときに、以下の関係式を満たす。
０．０３≦ｄ５／ＴＴＬ≦０．１１                                      （１２）
−１５．６５≦（Ｒ５＋Ｒ６）／（Ｒ５−Ｒ６）≦−１．０４              （１３）
２．３９≦ｆ３／ｆ≦２５．１８                                        （１４）
【００４０】
関係式（１２）には、前記第３レンズＬ３の軸上厚みと撮像光学レンズ１０の光学全長との比が規定される。これにより、極薄化の実現に有利である。
【００４１】
関係式（１３）には、前記第３レンズＬ３の形状が規定される。この関係式の範囲内にあると、レンズを通過する光線のずれの程度を緩和することができ、収差を有効的に減少させることができる。
【００４２】
関係式（１４）には、前記第３レンズＬ３の焦点距離と撮像光学レンズ１０の全体の焦点距離との比が規定される。このような設定では、屈折力を合理的に配分することで、システムとして、優れた結像品質及び低い感度を有する。
【００４３】
好ましくは、前記第４レンズＬ４の焦点距離をｆ４、前記第４レンズＬ４の軸上厚みをｄ７、前記撮像光学レンズ１０の光学全長をＴＴＬ、前記第４レンズＬ４の物体側の面の曲率半径をＲ７、前記第４レンズＬ４の像側の面の曲率半径をＲ８にしたときに、以下の関係式を満たす。
０．０３≦ｄ７／ＴＴＬ≦０．０８                                      （１５）
１．６１≦（Ｒ７＋Ｒ８）／（Ｒ７−Ｒ８）≦２２．３３                  （１６）
−７４．０５≦ｆ４／ｆ≦−６．５０                                    （１７）
【００４４】
関係式（１５）には、前記第４レンズＬ４の軸上厚みと撮像光学レンズ１０の光学全長との比が規定される。これにより、極薄化の実現に有利である。
【００４５】
関係式（１６）には、前記第４レンズＬ４の形状が規定される。この関係式の範囲内にあると、極薄化・広角化が進むに従って、軸外画角の収差等の問題の補正に有利である。
【００４６】
関係式（１７）には、前記第４レンズＬ４の焦点距離と撮像光学レンズ１０の全体の焦点距離との比が規定される。この関係式の範囲内にあると、光学系の性能の向上に役立つ。
【００４７】
好ましくは、前記第５レンズＬ５の焦点距離をｆ５、前記第５レンズＬ５の軸上厚みをｄ９、前記撮像光学レンズ１０の光学全長をＴＴＬにしたときに、以下の関係式を満たす。
０．０５≦ｄ９／ＴＴＬ≦０．１６                                      （１８）
０．４５≦ｆ５／ｆ≦１．６７                                          （１９）
【００４８】
関係式（１８）には、前記第５レンズＬ５の軸上厚みと撮像光学レンズ１０の光学全長との比が規定される。これにより、極薄化の実現に有利である。
【００４９】
関係式（１９）には、前記第５レンズＬ５の焦点距離と撮像光学レンズ１０の全体の焦点距離との比が規定される。このように第５レンズＬ５を限定することで、撮像光学レンズ１０の光線角度を緩やかにし、公差感度を効果的に低減させることができる。
【００５０】
好ましくは、前記第６レンズＬ６の軸上厚みをｄ１１、前記撮像光学レンズ１０の光学全長をＴＴＬ、前記第６レンズＬ６の物体側の面の曲率半径をＲ１１、前記第６レンズＬ６の像側の面の曲率半径をＲ１２にしたときに、以下の関係式を満たす。
０．０４≦ｄ１１／ＴＴＬ≦０．１２                                    （２０）
０．１１≦（Ｒ１１＋Ｒ１２）／（Ｒ１１−Ｒ１２）≦０．６４            （２１）
【００５１】
関係式（２０）には、前記第６レンズＬ６の軸上厚みと撮像光学レンズ１０の光学全長との比が規定される。これにより、極薄化の実現に有利である。
【００５２】
関係式（２１）には、前記第６レンズＬ６の形状が規定される。この関係式の範囲内にあると、極薄化・広角化が進むに従って、軸外画角の収差等の問題の補正に有利である。
【００５３】
好ましくは、前記撮像光学レンズ１０の絞りＦ値をＦＮＯにしたときに、以下の関係式を満たす。
ＦＮＯ≦１．９０                                                      （２２）
【００５４】
関係式（２２）には、前記撮像光学レンズ１０の絞りＦ値の範囲が規定される。これにより、撮像光学レンズ１０は大絞りとなり、結像性能が優れている。このように設計することで、撮像光学レンズ１０全体の光学全長ＴＴＬを可及的に短くすることができ、小型化の特性を維持することができる。
【００５５】
本実施形態において、当該撮像光学レンズ１０の像高をＩＨにしたときに、ＴＴＬ／ＩＨ≦１．２５の関係式が設立され、それと共に、ＦＯＶ≧８０の関係式が設立される。これにより、極薄化、広角化の要件を満たすことができる。
【００５６】
本発明に係る撮像光学レンズ１０の焦点距離、各レンズの焦点距離及び曲率半径が上記の関係式を満たす場合、撮像光学レンズ１０は良好な光学性能を有すると共に、大絞り、広角化、極薄化の設計要件を満たすこともできる。当該撮像光学レンズ１０の特性によれば、当該撮像光学レンズ１０は特に高画素用のＣＣＤ、ＣＭＯＳ等の撮像素子から構成される携帯電話の撮像レンズ部品とＷＥＢ撮像レンズに適用される。
【００５７】
以下、実施例を用いて、本発明に係る撮像光学レンズ１０を説明する。各実施例に記載の符号は以下の通りであり、焦点距離、軸上距離、曲率半径、軸上厚み、変曲点位置及び停留点位置の単位は、ｍｍである。
【００５８】
ＴＴＬ：光学全長（第１レンズＬ１の物体側の面から結像面までの軸上距離）、単位はｍｍである。
【００５９】
好ましくは、高品質な結像性能を得られるように、前記レンズの物体側の面及び／又は像側の面に、変曲点及び／又は停留点がさらに設けられていてもよい。具体的な実施案については、後述する。
【００６０】
図１は、本発明の第１実施形態に係る撮像光学レンズ１０の構造を示す図である。以下には、本発明の第１実施形態に係る撮像光学レンズ１０の設定データを示す。
【００６１】
表１には、本発明の第１実施形態における撮像光学レンズ１０を構成する第１レンズＬ１〜第６レンズＬ６の物体側と像側の曲率半径Ｒ、レンズの軸上厚み、レンズ間の距離ｄ、屈折率ｎｄ及びアッベ数ｖｄを示す。表２には、撮像光学レンズ１０の円錐係数ｋ及び非球面係数を示す。なお、本実施形態では、距離、半径、及び厚みの単位はいずれもミリメートル（ｍｍ）である。
【００６２】
【表１】
0006846096.tif 000002
【００６３】
ここで、各符号の意味は、以下の通りである。
Ｒ      ：光学面の曲率半径
Ｓ１    ：絞り
Ｒ１    ：第１レンズＬ１の物体側の面の曲率半径
Ｒ２    ：第１レンズＬ１の像側の面の曲率半径
Ｒ３    ：第２レンズＬ２の物体側の面の曲率半径
Ｒ４    ：第２レンズＬ２の像側の面の曲率半径
Ｒ５    ：第３レンズＬ３の物体側の面の曲率半径
Ｒ６    ：第３レンズＬ３の像側の面の曲率半径
Ｒ７    ：第４レンズＬ４の物体側の面の曲率半径
Ｒ８    ：第４レンズＬ４の像側の面の曲率半径
Ｒ９    ：第５レンズＬ５の物体側の面の曲率半径
Ｒ１０  ：第５レンズＬ５の像側の面の曲率半径
Ｒ１１  ：第６レンズＬ６の物体側の面の曲率半径
Ｒ１２  ：第６レンズＬ６の像側の面の曲率半径
Ｒ１３  ：光学フィルターＧＦの物体側の面の曲率半径
Ｒ１４  ：光学フィルターＧＦの像側の面の曲率半径
ｄ      ：レンズの軸上厚み、又は、隣接するレンズ間の軸上距離
ｄ０    ：絞りＳ１から第１レンズＬ１の物体側の面までの軸上距離
ｄ１    ：第１レンズＬ１の軸上厚み
ｄ２    ：第１レンズＬ１の像側の面から第２レンズＬ２の物体側の面までの軸上距離
ｄ３    ：第２レンズＬ２の軸上厚み
ｄ４    ：第２レンズＬ２の像側の面から第３レンズＬ３の物体側の面までの軸上距離
ｄ５    ：第３レンズＬ３の軸上厚み
ｄ６    ：第３レンズＬ３の像側の面から第４レンズＬ４の物体側の面までの軸上距離
ｄ７    ：第４レンズＬ４の軸上厚み
ｄ８    ：第４レンズＬ４の像側の面から第５レンズＬ５の物体側の面までの軸上距離
ｄ９    ：第５レンズＬ５の軸上厚み
ｄ１０  ：第５レンズＬ５の像側の面から第６レンズＬ６の物体側の面までの軸上距離
ｄ１１  ：第６レンズＬ６の軸上厚み
ｄ１２  ：第６レンズＬ６の像側の面から光学フィルターの物体側の面までの軸上距離
ｄ１３  ：光学フィルターＧＦの軸上厚み
ｄ１４  ：光学フィルターＧＦの像側の面から像面Ｓｉまでの軸上距離
ｎｄ    ：ｄ線の屈折率
ｎｄ１  ：第１レンズＬ１の屈折率
ｎｄ２  ：第２レンズＬ２の屈折率
ｎｄ３  ：第３レンズＬ３の屈折率
ｎｄ４  ：第４レンズＬ４の屈折率
ｎｄ５  ：第５レンズＬ５の屈折率
ｎｄ６  ：第６レンズＬ６の屈折率
ｎｄｇ  ：光学フィルターＧＦの屈折率
ｖｄ    ：アッベ数
ｖ１    ：第１レンズＬ１のアッベ数
ｖ２    ：第２レンズＬ２のアッベ数
ｖ３    ：第３レンズＬ３のアッベ数
ｖ４    ：第４レンズＬ４のアッベ数
ｖ５    ：第５レンズＬ５のアッベ数
ｖ６    ：第６レンズＬ６のアッベ数
ｖｇ    ：光学フィルターＧＦのアッベ数
【００６４】
【表２】
0006846096.tif 000003
【００６５】
表２において、ｋは円錐係数であり、Ａ４、Ａ６、Ａ８、Ａ１０、Ａ１２、Ａ１４、Ａ１６、Ａ１８、Ａ２０は非球面係数である。
【００６６】
なお、本実施形態における各レンズの非球面は下記式（２３）で示される非球面を使用することが好ましいが、下記式（２３）で具体的に示されたのは一例に過ぎず、実際には、この式（２３）で示される非球面多項式に限定されるものではない。
ｙ＝（ｘ２／Ｒ）／［１＋｛１−（ｋ＋１）（ｘ２／Ｒ２）｝１／２］＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０                        （２３）
【００６７】
表３、表４は、本発明の実施例に係る撮像光学レンズ１０における各レンズの変曲点及び停留点の設定データを示す。ここで、Ｐ１Ｒ１、Ｐ１Ｒ２は、それぞれ第１レンズＬ１の物体側の面と像側の面を示し、Ｐ２Ｒ１、Ｐ２Ｒ２は、それぞれ第２レンズＬ２の物体側の面と像側の面を示し、Ｐ３Ｒ１、Ｐ３Ｒ２は、それぞれ第３レンズＬ３の物体側の面と像側の面を示し、Ｐ４Ｒ１、Ｐ４Ｒ２は、それぞれ第４レンズＬ４の物体側の面と像側の面を示し、Ｐ５Ｒ１、Ｐ５Ｒ２は、それぞれ第５レンズＬ５の物体側の面と像側の面を示し、Ｐ６Ｒ１、Ｐ６Ｒ２は、それぞれ第６レンズＬ６の物体側の面と像側の面を示す。また、「変曲点位置」欄の対応するデータは、各レンズの表面に設けられた変曲点から撮像光学レンズ１０の光軸までの垂直距離であり、「停留点位置」欄の対応するデータは、各レンズの表面に設けられた停留点から撮像光学レンズ１０の光軸までの垂直距離である。
【００６８】
【表３】
0006846096.tif 000004
【００６９】
【表４】
0006846096.tif 000005
【００７０】
また、後記の表２１には、第１実施形態における諸数値及び関係式で規定されたパラメータに対応する値を示す。
【００７１】
図２、図３はそれぞれ波長６５０ｎｍ、６１０ｎｍ、５５５ｎｍ、５１０ｎｍ、及び４７０ｎｍの光が第１実施形態に係る撮像光学レンズ１０を通った後の球面収差及び倍率色収差を示す図である。図４は、波長５５５ｎｍの光が第１実施形態に係る撮像光学レンズ１０を通った後の像面湾曲及び歪曲収差を示す図であり、図４の像面湾曲Ｓは、サジタル方向の像面湾曲であり、Ｔは、子午方向の像面湾曲である。
【００７２】
本実施形態において、前記撮像光学レンズ１０の入射瞳径が２．８６０ｍｍであり、全視野の像高が４．６４９ｍｍであり、対角線方向の画角が８０．００°である。これにより、前記撮像光学レンズ１０は広角化、極薄化となり、その軸上、軸外の色収差が十分に補正され、優れた光学特性を有する。
【００７３】
第２実施形態
図５は、本発明の第２実施形態に係る撮像光学レンズ２０の構造を示す図である。第２実施形態は、第１実施形態とほぼ同じであり、符号の意味も第１実施形態と同様であり、以下、異なる点のみを示す。
【００７４】
表５、表６は、本発明の第２実施形態に係る撮像光学レンズ２０の設定データを示す。
【００７５】
【表５】
0006846096.tif 000006
【００７６】
【表６】
0006846096.tif 000007
【００７７】
表７、表８は、本発明の実施例に係る撮像光学レンズ２０における各レンズの変曲点及び停留点の設定データを示す。
【００７８】
【表７】
0006846096.tif 000008
【００７９】
【表８】
0006846096.tif 000009
【００８０】
また、後記の表２１には、第２実施形態における諸数値及び関係式で規定されたパラメータに対応する値を示す。
【００８１】
図６、図７はそれぞれ波長６５０ｎｍ、６１０ｎｍ、５５５ｎｍ、５１０ｎｍ、及び４７０ｎｍの光が第２実施形態に係る撮像光学レンズ２０を通った後の球面収差及び倍率色収差を示す図である。図８は、波長５５５ｎｍの光が第２実施形態に係る撮像光学レンズ２０を通った後の像面湾曲及び歪曲収差を示す図であり、図８の像面湾曲Ｓは、サジタル方向の像面湾曲であり、Ｔは、子午方向の像面湾曲である。
【００８２】
本実施形態において、前記撮像光学レンズ１０の入射瞳径が２．８６１ｍｍであり、全視野の像高が４．６４９ｍｍであり、対角線方向の画角が８０．００°である。これにより、前記撮像光学レンズ２０は広角化、極薄化となり、その軸上、軸外の色収差が十分に補正され、優れた光学特性を有する。
【００８３】
第３実施形態
図９は、本発明の第３実施形態に係る撮像光学レンズ３０の構造を示す図である。第３実施形態は、第１実施形態とほぼ同じであり、符号の意味も第１実施形態と同様であり、以下、異なる点のみを示す。
【００８４】
表９、表１０は、本発明の第３実施形態に係る撮像光学レンズ３０の設定データを示す。
【００８５】
【表９】
0006846096.tif 000010
【００８６】
【表１０】
0006846096.tif 000011
【００８７】
表１１、表１２は、本発明の実施例に係る撮像光学レンズ３０における各レンズの変曲点及び停留点の設定データを示す。
【００８８】
【表１１】
0006846096.tif 000012
【００８９】
【表１２】
0006846096.tif 000013
【００９０】
また、後記の表２１には、第３実施形態における諸数値及び関係式で規定されたパラメータに対応する値を示す。
【００９１】
図１０、図１１はそれぞれ波長６５０ｎｍ、６１０ｎｍ、５５５ｎｍ、５１０ｎｍ、及び４７０ｎｍの光が第３実施形態に係る撮像光学レンズ３０を通った後の球面収差及び倍率色収差を示す図である。図１２は、波長５５５ｎｍの光が第３実施形態に係る撮像光学レンズ３０を通った後の像面湾曲及び歪曲収差を示す図であり、図１２の像面湾曲Ｓは、サジタル方向の像面湾曲であり、Ｔは、子午方向の像面湾曲である。
【００９２】
本実施形態において、前記撮像光学レンズ３０の入射瞳径が２．８６２ｍｍであり、全視野の像高が４．６４９ｍｍであり、対角線方向の画角が８０．００°である。これにより、前記撮像光学レンズ３０は広角化、極薄化となり、その軸上、軸外の色収差が十分に補正され、優れた光学特性を有する。
【００９３】
第４実施形態
図１３は、本発明の第４実施形態に係る撮像光学レンズ４０の構造を示す図である。第４実施形態は、第１実施形態とほぼ同じであり、符号の意味も第１実施形態と同様であり、以下、異なる点のみを示す。
【００９４】
表１３、表１４は、本発明の第４実施形態に係る撮像光学レンズ４０の設定データを示す。
【００９５】
【表１３】
0006846096.tif 000014
【００９６】
【表１４】
0006846096.tif 000015
【００９７】
表１５、表１６は、本発明の実施例に係る撮像光学レンズ４０における各レンズの変曲点及び停留点の設定データを示す。
【００９８】
【表１５】
0006846096.tif 000016
【００９９】
【表１６】
0006846096.tif 000017
【０１００】
また、後記の表２１には、第４実施形態における諸数値及び関係式で規定されたパラメータに対応する値を示す。
【０１０１】
図１４、図１５はそれぞれ波長６５０ｎｍ、６１０ｎｍ、５５５ｎｍ、５１０ｎｍ、及び４７０ｎｍの光が第４実施形態に係る撮像光学レンズ４０を通った後の球面収差及び倍率色収差を示す図である。図１６は、波長５５５ｎｍの光が第４実施形態に係る撮像光学レンズ４０を通った後の像面湾曲及び歪曲収差を示す図であり、図１６の像面湾曲Ｓは、サジタル方向の像面湾曲であり、Ｔは、子午方向の像面湾曲である。
【０１０２】
本実施形態において、前記撮像光学レンズ４０の入射瞳径が２．８９８ｍｍであり、全視野の像高が４．６４９ｍｍであり、対角線方向の画角が８０．００°である。これにより、前記撮像光学レンズ４０は広角化、極薄化となり、その軸上、軸外の色収差が十分に補正され、優れた光学特性を有する。
【０１０３】
第５実施形態
図１７は、本発明の第５実施形態に係る撮像光学レンズ５０の構造を示す図である。第５実施形態は、第１実施形態とほぼ同じであり、符号の意味も第１実施形態と同様であり、以下、異なる点のみを示す。
【０１０４】
表１７、表１８は、本発明の第５実施形態に係る撮像光学レンズ５０の設定データを示す。
【０１０５】
【表１７】
0006846096.tif 000018
【０１０６】
【表１８】
0006846096.tif 000019
【０１０７】
表１９、表２０は、本発明の実施例に係る撮像光学レンズ５０における各レンズの変曲点及び停留点の設定データを示す。
【０１０８】
【表１９】
0006846096.tif 000020
【０１０９】
【表２０】
0006846096.tif 000021
【０１１０】
また、後記の表２１には、第５実施形態における諸数値及び関係式で規定されたパラメータに対応する値を示す。
【０１１１】
図１８、図１９はそれぞれ波長６５０ｎｍ、６１０ｎｍ、５５５ｎｍ、５１０ｎｍ、及び４７０ｎｍの光が第５実施形態に係る撮像光学レンズ５０を通った後の球面収差及び倍率色収差を示す図である。図２０は、波長５５５ｎｍの光が第５実施形態に係る撮像光学レンズ５０を通った後の像面湾曲及び歪曲収差を示す図であり、図２０の像面湾曲Ｓは、サジタル方向の像面湾曲であり、Ｔは、子午方向の像面湾曲である。
【０１１２】
本実施形態において、前記撮像光学レンズ５０の入射瞳径が２．８９９ｍｍであり、全視野の像高が４．６４９ｍｍであり、対角線方向の画角が８０．００°である。これにより、前記撮像光学レンズ５０は広角化、極薄化となり、その軸上、軸外の色収差が十分に補正され、優れた光学特性を有する。
【０１１３】
下記の表２１には、上記の関係式ごとに本実施形態における各関係式に対応する数値を示しており、明らかに、本実施形態の撮像光学レンズは、上記の関係式を満たしている。
【０１１４】
【表２１】
0006846096.tif 000022
【０１１５】
以上に説明されたのは、本発明の実施例に過ぎず、当業者にとっては、本発明の構想から逸脱しない限り、さらに改良することができ、これらの改良はいずれも本発明の保護範囲に含まれると理解できるはずである。
【図１】
0006846096.tif 000023
【図２】
0006846096.tif 000024
【図３】
0006846096.tif 000025
【図４】
0006846096.tif 000026
【図５】
0006846096.tif 000027
【図６】
0006846096.tif 000028
【図７】
0006846096.tif 000029
【図８】
0006846096.tif 000030
【図９】
0006846096.tif 000031
【図１０】
0006846096.tif 000032
【図１１】
0006846096.tif 000033
【図１２】
0006846096.tif 000034
【図１３】
0006846096.tif 000035
【図１４】
0006846096.tif 000036
【図１５】
0006846096.tif 000037
【図１６】
0006846096.tif 000038
【図１７】
0006846096.tif 000039
【図１８】
0006846096.tif 000040
【図１９】
0006846096.tif 000041
【図２０】
0006846096.tif 000042